(57)【要約】【課題】圧力の加わっていない状態における消費電力を低減し得る圧力検出装置及びその制御方法を得る。【解決手段】圧力を検出するとともに、検出した圧力値に応じた圧力信号を出力する圧力センサと、圧力センサと信号出力線との接続のオン／オフを切り替える第１トランジスタと、を有するセルが行列状に配置されたセンサアレイと、第１トランジスタをゲート線を介して駆動するゲートドライバと、圧力信号を信号出力線を介して読み出す読み出し部と、ゲートドライバ及び読み出し部を制御する制御部と、を備えた圧力検出装置であって、制御部は、セルの圧力センサが一定期間圧力を検出しないときは、予め定めた特定セルに対してのみ駆動及び読み出しを行う待機状態へ圧力検出装置を移行させる。【選択図】図１
2018054300.tif 000002
【特許請求の範囲】
【請求項１】
圧力を検出するとともに、検出した圧力値に応じた圧力信号を出力する圧力センサと、前記圧力センサと信号出力線との接続のオン／オフを切り替える第１トランジスタと、を有するセルが行列状に配置されたセンサアレイと、
前記第１トランジスタをゲート線を介して駆動するゲートドライバと、
前記圧力信号を前記信号出力線を介して読み出す読み出し部と、
前記ゲートドライバ及び前記読み出し部を制御する制御部と、
を備えた圧力検出装置であって、
前記制御部は、前記セルの前記圧力センサが一定期間圧力を検出しないときは、予め定めた特定セルに対してのみ駆動及び読み出しを行う待機状態へ圧力検出装置を移行させる
圧力検出装置。
【請求項２】
前記制御部は、前記待機状態において前記特定セルが圧力を検出したときは、圧力検出装置を前記待機状態から復帰させる
請求項１に記載の圧力検出装置。
【請求項３】
前記ゲートドライバは、前記待機状態において、少なくとも１つの前記特定セルが接続されている特定ゲート線を駆動し続ける
請求項１又は２に記載の圧力検出装置。
【請求項４】
前記特定ゲート線に接続された前記セルのうちの前記特定セルでない非特定セルは、前記第１トランジスタと直列に接続されて前記圧力センサと前記信号出力線との接続のオン／オフを切り替える第２トランジスタを更に有し、
前記第２トランジスタは、前記待機状態においてオフされる
請求項３に記載の圧力検出装置。
【請求項５】
前記特定ゲート線が２以上の行間隔で設けられ、各列の前記信号出力線に接続される前記特定セルの個数が１以下である
請求項４に記載の圧力検出装置。
【請求項６】
前記特定セルでない非特定セルへの電力供給のオン／オフを制御する第３トランジスタを更に有し、
前記第３トランジスタは、前記待機状態においてオフされる
請求項１から５のいずれか１項に記載の圧力検出装置。
【請求項７】
前記読み出し部は、前記信号出力線に出力された前記圧力信号をＡＤ変換するＡＤ変換部を有し、
前記ＡＤ変換部は、前記待機状態において、前記信号出力線に出力された前記圧力信号の有無を検出し、
前記制御部は、前記ＡＤ変換部が前記圧力信号を検出したときは、圧力検出装置を前記待機状態から復帰させる
請求項１から６のいずれか１項に記載の圧力検出装置。
【請求項８】
前記ＡＤ変換部は、
前記圧力信号と参照信号を比較して比較結果を出力する比較器と、
前記待機状態において、前記参照信号を、予め定めた定電圧値に切り替える参照信号切替部と、
を有する
請求項７に記載の圧力検出装置。
【請求項９】
前記圧力センサは、圧力印加に伴って電気抵抗値が変化する感圧素材である
請求項１から８のいずれか１項に記載の圧力検出装置。
【請求項１０】
前記圧力センサは、導電性ゴムである
請求項９に記載の圧力検出装置。
【請求項１１】
圧力を検出するとともに、検出した圧力値に応じた圧力信号を出力する圧力センサと、前記圧力センサと信号出力線との接続のオン／オフを切り替える第１トランジスタと、を有するセルが行列状に配置されたセンサアレイと、
前記第１トランジスタをゲート線を介して駆動するゲートドライバと、
前記圧力信号を前記信号出力線を介して読み出す読み出し部と、
前記ゲートドライバ及び前記読み出し部を制御する制御部と、
を備えた圧力検出装置の制御方法であって、
前記制御部において、前記セルの前記圧力センサが一定期間圧力を検出しないときは、予め定めた特定セルに対してのみ駆動及び読み出しを行う待機状態へ圧力検出装置を移行させるステップを有する制御方法。
【発明の詳細な説明】
【技術分野】
【０００１】
本発明は、圧力検出装置及びその制御方法に関し、特に消費電力の低減技術に関するものである。
【背景技術】
【０００２】
２次元状に配置された小型圧力センサを用いて圧力分布を検出する大面積圧力センサやフレキシブル圧力センサが、例えば非特許文献１に記載されている。このような圧力検出装置では、画像表示用パネルと同様に、ＴＦＴ（Ｔｈｉｎ−Ｆｉｌｍ  Ｔｒａｎｓｉｓｔｏｒ）を用いたアクティブマトリックス制御が行われるのが一般的である。アクティブマトリックス制御とは、行列状に配置した圧力センサと信号出力線との間にＴＦＴを設け、ＴＦＴをアクティブにしたときに圧力センサから信号出力線へ出力される信号を読み出す制御方式のことをいう。読み出された圧力信号はＡＤ変換されて、更に信号処理やデータ解析等が行われる。
【先行技術文献】
【非特許文献】
【０００３】
【非特許文献１】ＮａｎｏｔｅｃｈＪａｐａｎ  Ｂｕｌｌｅｔｉｎ  Ｖｏｌ．６，Ｎｏ．３，２０１３年７月５日，ｐｐ．６−７
【発明の概要】
【発明が解決しようとする課題】
【０００４】
非特許文献１の圧力検出装置では、シフトレジスタ等を用いてセンサアレイのアクティブな行を順次切り替えつつ、信号出力線を介して圧力信号を列毎に読み出す動作を継時的に行うことで、２次元圧力分布データの時間変化を取得している。しかし、センサアレイを駆動するシフトレジスタや、圧力信号を読み出すＡＤ変換回路は、圧力の有無に関わらず常に動作して電力を消費し続ける。このため、圧力の加わっていない状態における消費電力は、特に電池駆動を行っている場合には大きな問題となり得る。
【課題を解決するための手段】
【０００５】
本発明に係る圧力検出装置は、圧力を検出するとともに、検出した圧力値に応じた圧力信号を出力する圧力センサと、圧力センサと信号出力線との接続のオン／オフを切り替える第１トランジスタと、を有するセルが行列状に配置されたセンサアレイと、第１トランジスタをゲート線を介して駆動するゲートドライバと、圧力信号を信号出力線を介して読み出す読み出し部と、ゲートドライバ及び読み出し部を制御する制御部と、を備えた圧力検出装置であって、制御部は、セルの圧力センサが一定期間圧力を検出しないときは、予め定めた特定セルに対してのみ駆動及び読み出しを行う待機状態へ圧力検出装置を移行させることを特徴とする。
【０００６】
また、本発明に係る圧力検出装置の制御方法は、圧力を検出するとともに、検出した圧力値に応じた圧力信号を出力する圧力センサと、圧力センサと信号出力線との接続のオン／オフを切り替える第１トランジスタと、を有するセルが行列状に配置されたセンサアレイと、第１トランジスタをゲート線を介して駆動するゲートドライバと、圧力信号を信号出力線を介して読み出す読み出し部と、ゲートドライバ及び読み出し部を制御する制御部と、を備えた圧力検出装置の制御方法であって、制御部において、セルの圧力センサが一定期間圧力を検出しないときは、予め定めた特定セルに対してのみ駆動及び読み出しを行う待機状態へ圧力検出装置を移行させるステップを有することを特徴とする。
【発明の効果】
【０００７】
本発明によれば、圧力の加わっていない状態における消費電力を低減し得る圧力検出装置及びその制御方法を得ることができる。
【図面の簡単な説明】
【０００８】
【図１】第１実施形態に係る圧力検出装置の構成を示す模式図である。
【図２】第１実施形態に係る圧力検出装置におけるＡＤ変換部の構成を示す模式図である。
【図３】第１実施形態に係る圧力検出装置の制御方法を示す第１のフローチャートである。
【図４】第１実施形態に係る圧力検出装置の制御方法を示す第２のフローチャートである。
【図５】第２実施形態に係る圧力検出装置における特定セルの配置例を示す模式図である。
【図６】第３実施形態に係る圧力検出装置の構成を示す模式図である。
【図７】第４実施形態に係る圧力検出装置におけるＡＤ変換部の構成の一例を示す模式図である。
【発明を実施するための形態】
【０００９】
以下、本発明の実施形態について図面を参照しながら説明する。なお、本発明は以下の実施形態に限定されるものではなく、その要旨を逸脱しない範囲において適宜変更可能である。また、以下で説明する図面において、同じ機能を有するものは同一の符号を付し、その説明を省略又は簡潔にすることもある。
【００１０】
（第１実施形態）
図１から図４を参照しながら第１実施形態に係る圧力検出装置について説明する。図１は、第１実施形態に係る圧力検出装置の構成を示す模式図である。本実施形態の圧力検出装置は、センサアレイ１、ゲートドライバ２、読み出し部３、信号出力線４、及びゲート線５を備える。
【００１１】
センサアレイ１は、セル１０が行列状に配置されて構成される。ゲートドライバ２は、例えばシフトレジスタを用いて構成され、ゲート線５を介して制御信号ＳＥＬを出力して、センサアレイ１のアクティブな行を順次切り替える。読み出し部３は、複数のＡＤ変換部３０を有して構成され、圧力センサ１３から出力される圧力信号を、信号出力線４を介して読み出す。各ゲート線５は、センサアレイ１の同一行のセル１０で共用される。また、各信号出力線４は、センサアレイ１の同一列のセル１０で共用される。
【００１２】
センサアレイ１の各セル１０は、圧力センサ１３及び第１トランジスタ１１を有している。圧力センサ１３は、圧力を検出するとともに、検出した圧力値に応じた圧力信号を出力する。圧力センサ１３としては、例えば導電性ゴム等の、圧力印加に伴って電気抵抗値が変化する感圧素材を用いることができる。圧力センサ１３には、図示しない電源ＶＰから電力が供給される。第１トランジスタ１１は、例えばＴＦＴゲートであり、圧力センサ１３と信号出力線４との接続のオン／オフを切り替える。第１トランジスタ１１は、ゲートドライバ２が出力する制御信号ＳＥＬにより制御される。
【００１３】
図２は、第１実施形態に係る圧力検出装置におけるＡＤ変換部３０の構成の一例を示す模式図である。ＡＤ変換部３０は、比較器３１、参照信号発生器３２、カウンタ３３、及びカウンタクロック発生器３４を有している。参照信号発生器３２は、時間とともに単調増加又は単調減少するＲＡＭＰ信号を発生する。比較器３１は、信号出力線４に出力された圧力信号（ＶＩＮ）と、参照信号発生器３２が出力する参照信号との大小を比較して、その比較結果を出力する。カウンタ３３は、ＲＡＭＰ信号が出力されてから比較器３１の出力が変化するまでの時間内に、カウンタクロック発生器３４が生成したクロックＣＫ１をカウントする。ＡＤ変換部３０は、カウンタ３３によるカウント値を、圧力信号のＡＤ変換値（ＶＯＵＴ）として出力する。
【００１４】
なお、本実施形態の読み出し部３及びＡＤ変換部３０は、必ずしも図１及び図２に示す構成に限定されるものではない。例えば、読み出し部３は、信号出力線４毎にＡＤ変換部３０を接続する代わりに、複数の信号出力線４を図示しないマルチプレクサを介して１つのＡＤ変換部３０に接続することも可能である。また、読み出し部３は、必ずしもＡＤ変換部３０を含んでいる必要はなく、圧力センサ１３から出力される圧力信号を読み出すことができるものであれば他の読み出し回路等を用いてもよい。
【００１５】
このように、圧力検出装置は、ゲートドライバ２を用いてセンサアレイ１のアクティブなゲート線５を順次切り替えつつ、信号出力線４を介して圧力信号を読み出す動作を継時的に行うことで、２次元圧力分布データの時間変化を取得している。しかし、前述のように、センサアレイ１を駆動するゲートドライバ２や、圧力信号を読み出すＡＤ変換部３０は、圧力の有無に関わらず常に動作して電力を消費し続ける。このため、圧力の加わっていない状態における消費電力は、特に電池駆動を行っている場合には大きな問題となり得る。
【００１６】
そこで、本実施形態では、通常状態において、全てのセル１０の圧力センサ１３が一定期間圧力を検出しないときは、圧力検出装置を待機状態へ移行させる。そして、待機状態においては、ゲートドライバ２による駆動又は読み出し部３による読み出しを、分散して配置された複数の特定セル１０ａに対してのみ行い、その他の非特定セル１０ｂに対しては行わないようにする。これにより、圧力の加わっていない状態における消費電力を低減する。なお、全てのセル１０から圧力信号を読み出す代わりに、センサアレイ１の予め定めた複数のセル１０から圧力信号を読み出すようにしてもよい。
【００１７】
図１には、特定セル１０ａを実線の四角で示し、非特定セル１０ｂを破線の四角で示している。本実施形態のゲートドライバ２は、待機状態において、少なくとも１つの特定セル１０ａが接続されている特定ゲート線５ａに対してのみ制御信号ＳＥＬを出力する。その他の非特定ゲート線５ｂには制御信号ＳＥＬを出力しない。そのための構成として、本実施形態のゲートドライバ２は、図１に示すように、待機状態であることを示す制御信号ＳＴＢ（の否定値）が入力される制御信号線７を有している。また、待機状態においてシフトレジスタの動作を停止する切替回路２１を有している。また、待機状態において特定ゲート線５ａに対してのみ制御信号ＳＥＬを出力する切替回路２２を有している。
【００１８】
切替回路２１は、制御信号ＳＴＢが１（ＨＩＧＨ）のときには、クロックＣＫ０が出力される信号線を０（ＬＯＷ）に固定して、シフトレジスタの各フリップフロップ２０の動作を停止する。また、切替回路２２は、制御信号ＳＴＢが１（ＨＩＧＨ）のときには、非特定ゲート線５ｂを０（ＬＯＷ）に固定して、非特定ゲート線５ｂの駆動を停止する。
【００１９】
このような構成により、待機状態においては、ゲートドライバ２のシフトレジスタの動作及び非特定ゲート線５ｂの駆動が停止される。特に、待機状態においては、ゲートドライバ２の制御信号が時間的に変化しない静的な状態に維持されるので、制御信号の時間変化に伴う電流成分や電磁放射を抑制して、ゲートドライバ２の消費電力を低減することができる。
【００２０】
また、本実施形態の読み出し部３は、待機状態においては、特定ゲート線５ａに接続された特定セル１０ａに対してのみ読み出しを行う。その他の非特定セル１０ｂに対しては読み出しを行わない。そのための構成として、特定ゲート線５ａに接続された非特定セル１０ｂは、図１に示すように、第１トランジスタ１１と直列に接続されて圧力センサ１３と信号出力線４との接続のオン／オフを切り替える第２トランジスタ１２を更に有している。第２トランジスタ１２は、例えばＴＦＴゲートであり、第２トランジスタ１２のゲート端子には、待機状態であることを示す制御信号ＳＴＢ（の否定値）が入力される。第２トランジスタ１２は、制御信号ＳＴＢが１（ＨＩＧＨ）のときには、圧力センサ１３と信号出力線４との間の接続をオフする。
【００２１】
このような構成により、待機状態においては、非特定ゲート線５ｂだけでなく、特定ゲート線５ａに接続された非特定セル１０ｂの駆動も停止されるため、センサアレイ１の消費電力を更に低減することができる。また、非特定セル１０ｂに対する読み出しも行われなくなるため、読み出し部３の消費電力を低減することができる。
【００２２】
なお、非特定ゲート線５ｂに接続された非特定セル１０ｂは、第２トランジスタ１２を有していてもよいし、有していなくてもよい。待機状態においては、非特定ゲート線５ｂに接続された非特定セル１０ｂは、第２トランジスタ１２の有無に関わらず、ゲートドライバ２の切替回路２２により駆動が停止される。図１では、非特定ゲート線５ｂに接続された非特定セル１０ｂは第２トランジスタ１２を有しない構成とした。これにより、センサアレイ１の製造コストを低減することができる。
【００２３】
その後、本実施形態の圧力検出装置は、待機状態において、特定セル１０ａから読み出した圧力信号を監視する。そして、特定セル１０ａのいずれかが圧力を検出したときは、圧力検出装置を待機状態から復帰させる。
【００２４】
図３及び図４は、第１実施形態に係る圧力検出装置の制御方法を示すフローチャートである。図３は、本実施形態の圧力検出装置を待機状態に移行させる際の判定処理の一例を示している。また、図４は、本実施形態の圧力検出装置を待機状態から復帰させる際の判定処理の一例を示している。図３及び図４に示す処理は、例えば圧力検出装置を制御するＣＰＵ等の制御部により実行される。
【００２５】
まず、図３を参照しながら、圧力検出装置を待機状態に移行させる際の判定処理について説明する。ステップＳ１０１において、制御部はタイマーを開始する。あるいは既にタイマーが開始している場合にはタイマーを再開する。タイマーとしては、圧力検出装置を制御するＣＰＵ等に付属するタイマーを用いてもよいし、ＯＳ（Ｏｐｅｒａｔｉｎｇ  Ｓｙｓｔｅｍ）等により提供されるタイマー機能を利用してもよい。
【００２６】
ステップＳ１０２において、制御部は、センサアレイ１の全てのセル１０の圧力センサ１３から圧力信号を読み出す。そして、セル１０から読み出した圧力信号が、いずれも予め定めた第１閾値より小さいか否かを判定する。なお、全てのセル１０から圧力信号を読み出す代わりに、センサアレイ１の予め定めた複数のセル１０から圧力信号を読み出すようにしてもよい。
【００２７】
セル１０から読み出した圧力信号が、いずれも予め定めた第１閾値より小さい場合（ＹＥＳ）には、ステップＳ１０３に進む。一方、セル１０から読み出した圧力信号が、１つでも第１閾値以上である場合（ＮＯ）には、ステップＳ１０１に戻ってタイマーを再開し、ステップＳ１０２を繰り返す。
【００２８】
ステップＳ１０３において、制御部は、タイマーを開始してから一定期間が経過したか否かを判定する。タイマーを開始してから一定期間が経過した場合（ＹＥＳ）は、一定期間圧力が検出されなかったと判定してステップＳ１０４に進み、センサアレイ１を待機状態に移行させる。一方、タイマーを開始してから一定期間が経過していない場合（ＮＯ）は、ステップＳ１０２に戻って、セル１０による圧力の検出を繰り返す。
【００２９】
次に、図４を参照しながら、圧力検出装置を待機状態から復帰させる際の判定処理について説明する。ステップＳ２０１において、制御部は、センサアレイ１の全ての特定セル１０ａの圧力センサ１３から圧力信号を読み出す。そして、特定セル１０ａから読み出した圧力信号が、１つでも予め定めた第２閾値より大きいか否かを判定する。なお、全ての特定セル１０ａから圧力信号を読み出す代わりに、センサアレイ１の予め定めた複数の特定セル１０ａから圧力信号を読み出すようにしてもよい。
【００３０】
特定セル１０ａから読み出した圧力信号が、１つでも予め定めた第２閾値より大きい場合（ＹＥＳ）には、圧力が検出されたと判定してステップＳ２０２に進み、圧力検出装置を待機状態から復帰させる。一方、特定セル１０ａから読み出した圧力信号が、いずれも第２閾値よりも小さい場合（ＮＯ）には、ステップＳ２０１に戻って、特定セル１０ａによる圧力の検出を繰り返す。なお、第２閾値は、第１閾値と同じ値としてもよいし異なる値としてもよい。
【００３１】
以上のように、本実施形態では、センサアレイのセルの圧力センサが一定期間圧力を検出しないときは、圧力検出装置を待機状態へ移行させている。そして、待機状態においては、ゲートドライバによる駆動又は読み出し部による読み出しを、予め定めた特定セルに対してのみ行うようにしている。これにより、圧力の加わっていない状態における消費電力を低減することができる。また、本実施形態の圧力検出装置は、従来の構成に論理回路を追加するだけで実現可能であるため、コストを抑えて製造することが可能である。
【００３２】
（第２実施形態）
次に、図５を参照しながら第２実施形態に係る圧力検出装置について説明する。図５は、第２実施形態に係る圧力検出装置における特定セル１０ａの配置例を示す模式図である。図５は、図１に示すセンサアレイ１を更に模式的に示したものであり、センサアレイ１の特定セル１０ａを白丸で示し、非特定セル１０ｂを黒丸で示している。なお、図５では、便宜的に、センサアレイ１の行数を２５、列数を３０としているが、センサアレイ１の行数及び列数は適宜変更可能である。
【００３３】
本実施形態のセンサアレイ１は、特定ゲート線５ａを行間隔Ｍ＝５で設けるとともに、各列の信号出力線４に接続される特定セル１０ａの個数が１つとなるように、特定セル１０ａを配置している。このような構成は、図１に示すゲートドライバ２の切替回路２１、切替回路２２、及び非特定セル１０ｂの第２トランジスタ１２を、行間隔Ｍに合わせて構成することにより実現可能である。
【００３４】
このような構成において、ゲートドライバ２は、同一の特定ゲート線５ａを駆動し続けるとともに、読み出し部３は、特定ゲート線５ａに接続された同一の特定セル１０ａを読み出し続ける。このため、待機状態においては、センサアレイ１の制御信号が時間的に変化しない静的な状態に維持されるので、制御信号の時間変化に伴う電流成分や電磁放射を抑制して、ゲートドライバ２の消費電力を低減することができる。
【００３５】
なお、行間隔Ｍは５に限定されず、２以上の自然数であればよい。また、特定セル１０ａが接続されていない信号出力線４が存在してもよい。また、図５では、行間隔Ｍ＝５と同じ列間隔Ｎ＝５で特定セル１０ａを配置したが、列間隔Ｎは５に限定されず、２以上の自然数であればよい。また列間隔Ｎは行間隔Ｍと同じ値であってもよいし異なる値であってもよい。
【００３６】
以上のように、本実施形態では、特定ゲート線が２以上の行間隔でセンサアレイに設けられ、各列の信号出力線に接続される特定セルの個数が１以下となるようにしている。これにより、圧力の加わっていない状態における消費電力を更に低減することができる。
【００３７】
（第３実施形態）
次に、図６を参照しながら第３実施形態に係る圧力検出装置について説明する。図６は、第３実施形態に係る圧力検出装置の構成を示す模式図である。図６に示す圧力検出装置は、図１に示す第１実施形態の構成に加えて、非特定セル１０ｂへの電力供給のオン／オフを切り替える電源遮断回路８を更に備えている。その他の構成については概ね第１実施形態と同じであるので説明は省略する。以下、第１実施形態と異なる構成について説明する。
【００３８】
電源遮断回路８は、待機状態における消費電力を更に低減するために、非特定セル１０ｂの圧力センサ１３への電力供給を停止する。そのための構成として、本実施形態の電源遮断回路８は、図６に示すように、各非特定セル１０ｂの圧力センサ１３の電源端子と電源ＶＰとの間に設けられた第３トランジスタ８１を有している。第３トランジスタ８１のゲート端子には、制御信号ＳＴＢ（の否定値）が入力される。第３トランジスタ８１は、制御信号ＳＴＢが１（ＨＩＧＨ）のときには、各非特定セル１０ｂの圧力センサ１３の電源端子への電力供給をオフする。これにより、各非特定セル１０ｂの圧力センサ１３の電源端子は、待機状態において開放状態（ハイインピーダンス状態）となり、開放電圧φＰに維持される。
【００３９】
このような構成により、待機状態においては、非特定セル１０ｂへの電力供給が停止されて、センサアレイ１の消費電力を更に低減することができる。一方、待機状態でない通常状態においては、第３トランジスタ８１がオンされて、電源ＶＰから非特定セル１０ｂの電源端子へ電力が供給される。なお、特定セル１０ａの圧力センサ１３に対しては、待機状態であるか否かに関わらず電源ＶＰから電力が供給される。
【００４０】
本実施形態の非特定セル１０ｂは、第２トランジスタ１２を有していてもよいし、有していなくてもよい。待機状態においては、非特定セル１０ｂは、第２トランジスタ１２の有無に関わらず、電源遮断回路８により電力供給が停止されて、非アクティブにされる。図６では、非特定セル１０ｂは第２トランジスタ１２を有しない構成とした。これにより、センサアレイ１の製造コストを低減することができる。
【００４１】
以上のように、本実施形態では、非特定セルへの電力供給のオン／オフを制御する第３トランジスタを有している。そして、待機状態においては第３トランジスタがオフされるようにしている。これにより、圧力の加わっていない状態における消費電力を更に低減することができる。
【００４２】
なお、図６に示す電源遮断回路８は、電源供給用の第３トランジスタ８１を充分に駆動できるようにするためのバッファとして設けた２つの否定回路８２を有しているが、第３トランジスタ８１を充分に駆動できる場合には省略してもよい。また、電源遮断回路８は、図６に示すように全ての非特定セル１０ｂで共用してもよいし、非特定セル１０ｂ毎に設けてもよい。
【００４３】
（第４実施形態）
次に、図７を参照しながら第４実施形態に係る圧力検出装置について説明する。図７は、第４実施形態に係る圧力検出装置におけるＡＤ変換部３０ｂの構成を示す模式図である。図７に示す本実施形態のＡＤ変換部３０ｂは、図２に示す第１実施形態のＡＤ変換部３０に加えて、参照信号切替部３５及び活性化信号生成器３６を更に有している。その他の構成については概ね第１実施形態と同じであるので説明は省略する。以下、第１実施形態と異なる構成について説明する。
【００４４】
参照信号切替部３５は、待機状態においては、参照信号を、予め定めた定電圧値ＶＲＥＦに切り替える。比較器３１は、信号出力線４に出力された圧力信号（ＶＩＮ）と、定電圧値ＶＲＥＦの大小を比較してその比較結果を出力する。活性化信号生成器３６は、比較器３１から出力される信号値が変化したときに、待機状態から復帰を指示するための制御信号ＡＣＴを出力する。制御信号ＡＣＴは、例えば図示しない否定回路により値が反転されて、図１に示す制御信号ＳＴＢとして出力される。
【００４５】
なお、単に制御信号ＡＣＴを反転して制御信号ＳＴＢとしただけでは遅延タイミング等が問題となる場合には、一旦制御信号ＡＣＴをＣＰＵ等の制御部に入力した上で、制御部により制御信号ＡＣＴに応じて制御信号ＳＴＢを出力するようにしてもよい。この場合、活性化信号生成器３６をＣＰＵ等の制御部に統合することも可能である。
【００４６】
参照信号発生器３２、カウンタ３３、及びカウンタクロック発生器３４は、待機状態においては動作を停止する。このような構成により、待機状態においては、ＡＤ変換部３０ｂの制御信号が時間的に変化しない静的な状態に維持されるので、制御信号の時間変化に伴う電流成分や電磁放射を抑制して、読み出し部３の消費電力を低減することができる。なお、動作を完全に停止する代わりに、ＡＤ変換部３０ｂを通常状態よりも低いクロックＣＫ１で動作させたり、ＡＤ変換部３０ｂを間歇的に動作させてもよい。
【００４７】
以上のように、本実施形態のＡＤ変換部は、待機状態においては、信号出力線に出力された圧力信号の有無を検出し、少なくとも１つのＡＤ変換部が圧力信号を検出したときは、圧力検出装置を待機状態から復帰させるようにしている。これにより、圧力の加わっていない状態における消費電力を更に低減することができる。
【００４８】
なお、活性化信号生成器３６は、図７に示すように、全ての列のＡＤ変換部３０ｂで共用する構成としてもよいし、ＡＤ変換部３０ｂ毎に設けてもよい。活性化信号生成器３６を共用する場合は、各列のＡＤ変換部３０ｂの比較器３１から出力される信号の少なくとも１つが変化したときに、制御信号ＡＣＴを出力するようにする。
【００４９】
（その他の実施形態）
上述の実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。例えば、上述の実施形態は、大面積圧力センサやフレキシブル圧力センサに適用することが可能である。また、表示装置のタッチセンサ等に適用することも可能である。
【符号の説明】
【００５０】
１        ：センサアレイ
２        ：ゲートドライバ
３        ：読み出し部
４        ：信号出力線
５        ：ゲート線
５ａ      ：特定ゲート線
５ｂ      ：非特定ゲート線
８        ：電源遮断回路
１０      ：セル
１０ａ    ：特定セル
１０ｂ    ：非特定セル
１１      ：第１トランジスタ
１２      ：第２トランジスタ
１３      ：圧力センサ
３０      ：ＡＤ変換部
【図１】
2018054300.tif 000003
【図２】
2018054300.tif 000004
【図３】
2018054300.tif 000005
【図４】
2018054300.tif 000006
【図５】
2018054300.tif 000007
【図６】
2018054300.tif 000008
【図７】
2018054300.tif 000009